(57)【要約】【課題】各飼育水槽へろ過処理された水を供給するための高架貯水槽を別途設置する必要がなく、ろ過処理の効率化やろ過能力の高度化が可能な、高架貯水槽付重力式自動逆洗二段式砂ろ過装置を提供する。【解決手段】ろ過処理された水を貯水する高架貯水槽３０と、上部ろ過材１３を介して配置された上部ろ過室１１及び上部処理水水槽１２を有する上部ろ過器１０と、下部ろ過材２３を介して配置された下部ろ過室２１及び下部処理水水槽２２を有する下部ろ過器２０と、上部処理水水槽１２と高架貯水槽３０とを連結する上部連結管１５と、下部処理水水槽２２と高架貯水槽３０とを連結する下部連結管２５とを有する。【選択図】図１
2017225940.tif 000002
【特許請求の範囲】
【請求項１】
ろ過処理された水を貯水する高架貯水槽と、上部ろ過材を介して配置された上部ろ過室及び上部処理水水槽を有する上部ろ過器と、下部ろ過材を介して配置された下部ろ過室及び下部処理水水槽を有する下部ろ過器と、前記上部処理水水槽と前記高架貯水槽とを連結する上部連結管と、前記下部処理水水槽と前記高架貯水槽とを連結する下部連結管とを有し、
処理水の貯水時には、前記上部ろ過器及び前記下部ろ過器に送水された水がろ過処理された後、前記高架貯水槽に送水されて貯水され、
処理水の供給時には、前記高架貯水槽に貯水された水が重力により供給され、
ろ過材の逆洗時には、前記高架貯水槽に貯水された水が重力により前記上部連結管を経由して前記上部処理水水槽に送水されて前記上部ろ過材を洗浄した後、前記上部ろ過室を経由して外に排出されるとともに、前記高架貯水槽に貯水された水が重力により前記下部連結管を経由して前記下部処理水水槽に送水されて前記下部ろ過材を洗浄した後、前記下部ろ過室を経由して外に排出されることを特徴とする高架貯水槽付重力式自動逆洗二段式砂ろ過装置。
【請求項２】
前記処理水の貯水時に、前記上部ろ過室に送水された水が前記上部ろ過材によりろ過処理された後、前記上部処理水水槽から前記上部連結管を経由して前記高架貯水槽に送水されるとともに、前記下部ろ過室に送水された水が前記下部ろ過材によりろ過処理された後、前記下部処理水水槽から前記下部連結管を経由して前記高架貯水槽に送水されることを特徴とする請求項１に記載の高架貯水槽付重力式自動逆洗二段式砂ろ過装置。
【請求項３】
前記上部処理水水槽と前記下部ろ過室とを連結する上下連結管を有し、
前記処理水の貯水時に、前記上部ろ過室に送水された水が前記上部ろ過材によりろ過処理された後、前記上部処理水水槽から前記上下連結管を経由して前記下部ろ過室に送水され、前記下部ろ過材によりろ過処理された後、前記下部処理水水槽から前記下部連結管を経由して前記高架貯水槽に送水されることを特徴とする請求項１に記載の高架貯水槽付重力式自動逆洗二段式砂ろ過装置。
【発明の詳細な説明】
【技術分野】
【０００１】
本発明は、魚介類等の飼育水槽の飼育水として海水等をろ過処理するための、砂ろ過装置に関するものである。
【背景技術】
【０００２】
従来、魚介類等の飼育水槽の飼育水として用いる海水等をろ過するための砂ろ過装置が用いられているが、不純物が混じった海水等のろ過を続けると、装置内のろ過室のろ過材の機能が低下する。そのため、作業員が装置内のろ過室に入り込み、ろ過材の取り替えや補修、点検をする必要があり、その作業は極めて煩雑であった。
【０００３】
これに対して、砂ろ過装置の上部に、逆洗用水としてろ過処理後の処理水を貯水する逆洗用水水槽を設け、逆洗時に重力を利用してろ過材の洗浄を行うようにした重力式自動逆洗砂ろ過装置が用いられている（例えば、特許文献１参照）。
【０００４】
ここで、図７及び図８を参照して、従来の重力式自動逆洗砂ろ過装置について説明する。図７は、従来例に係る重力式自動逆洗砂ろ過装置を利用したろ過処理施設を示す平面図であり、図８は、従来例に係る重力式自動逆洗砂ろ過装置の説明図である。なお図８には、同一の構成の重力式自動逆洗砂ろ過装置を２台記載している。
【０００５】
ろ過処理施設には、複数の重力式自動逆洗砂ろ過装置２００が配置されている。重力式自動逆洗砂ろ過装置２００は、逆洗時の水を貯水する逆洗用水水槽２と、逆洗用水水槽２の下部に配置されたろ過室３と、ろ過室３の下部に配置された処理水水槽４と、ろ過室３と処理水水槽４との間に配置されたろ過材１とを有している。
【０００６】
そして、処理水の貯水時には、図示しないポンプによりろ過室３に送水された水が、ろ過材１によりろ過処理された後、処理水水槽４を経由して逆洗用水水槽２に送られて貯水されるようになっている。また、ろ過材１の逆洗時には、逆洗用水水槽２に貯水された水が重力により処理水水槽４に送られてろ過材１を洗浄した後、ろ過室３を経由して外に排出されるようになっている。
【０００７】
一方、重力式自動逆洗砂ろ過装置２００によりろ過処理された水は、送水管８０を経由して一次貯水槽５に貯水される。そして、ポンプＰの揚力により送水管９０を経由して高架貯水槽７に送水されて貯水され、必要に応じて重力により各飼育水槽へと供給されるようになっている。
【先行技術文献】
【特許文献】
【０００８】
【特許文献１】特開２０１５−２２３５８６号公報
【発明の概要】
【発明が解決しようとする課題】
【０００９】
ところで、ろ過処理された水を各飼育水槽へ供給するまで貯水しておくための高架貯水槽７は、重力による供給のための位置エネルギーを確保する必要から高い位置（例えば、７〜８ｍ）に設置する必要がある。そのため、これまでは基礎９の上に架台８を設けてその上に設置していた。
【００１０】
しかしながら、ろ過処理施設の老朽化に伴い、高架貯水槽７についても改修が必要となるが、大量のろ過処理された水を高い位置に貯水するためには、基礎９や架台８も含めた大規模な工事が必要となり、工期が長くなりコスト負担も大きい。また、ろ過処理施設を新設する場合にも同様の問題が生じる。
【００１１】
また、従来の砂ろ過装置は、ろ過器が１つであるため、ろ過処理の効率化や、ろ過能力の高度化に課題があった。
【００１２】
本発明は、上記従来の課題を解決するものであり、各飼育水槽へろ過処理された水を供給するための高架貯水槽を別途設置する必要がなく、ろ過処理の効率化やろ過能力の高度化が可能な、高架貯水槽付重力式自動逆洗二段式砂ろ過装置を提供するものである。
【課題を解決するための手段】
【００１３】
上記課題を解決するため、本発明の高架貯水槽付重力式自動逆洗二段式砂ろ過装置は、ろ過処理された水を貯水する高架貯水槽と、上部ろ過材を介して配置された上部ろ過室及び上部処理水水槽を有する上部ろ過器と、下部ろ過材を介して配置された下部ろ過室及び下部処理水水槽を有する下部ろ過器と、前記上部処理水水槽と前記高架貯水槽とを連結する上部連結管と、前記下部処理水水槽と前記高架貯水槽とを連結する下部連結管とを有し、処理水の貯水時には、前記上部ろ過器及び前記下部ろ過器に送水された水がろ過処理された後、前記高架貯水槽に送水されて貯水され、処理水の供給時には、前記高架貯水槽に貯水された水が重力により供給され、ろ過材の逆洗時には、前記高架貯水槽に貯水された水が重力により前記上部連結管を経由して前記上部処理水水槽に送水されて前記上部ろ過材を洗浄した後、前記上部ろ過室を経由して外に排出されるとともに、前記高架貯水槽に貯水された水が重力により前記下部連結管を経由して前記下部処理水水槽に送水されて前記下部ろ過材を洗浄した後、前記下部ろ過室を経由して外に排出されることを特徴とする。
【００１４】
また好ましくは、前記処理水の貯水時に、前記上部ろ過室に送水された水が前記上部ろ過材によりろ過処理された後、前記上部処理水水槽から前記上部連結管を経由して前記高架貯水槽に送水されるとともに、前記下部ろ過室に送水された水が前記下部ろ過材によりろ過処理された後、前記下部処理水水槽から前記下部連結管を経由して前記高架貯水槽に送水されることを特徴とする。
【００１５】
また好ましくは、前記上部処理水水槽と前記下部ろ過室とを連結する上下連結管を有し、前記処理水の貯水時に、前記上部ろ過室に送水された水が前記上部ろ過材によりろ過処理された後、前記上部処理水水槽から前記上下連結管を経由して前記下部ろ過室に送水され、前記下部ろ過材によりろ過処理された後、前記下部処理水水槽から前記下部連結管を経由して前記高架貯水槽に送水されることを特徴とする。
【発明の効果】
【００１６】
本発明の高架貯水槽付重力式自動逆洗二段式砂ろ過装置は、ろ過処理された水を貯水する高架貯水槽と、上部ろ過材を介して配置された上部ろ過室及び上部処理水水槽を有する上部ろ過器と、下部ろ過材を介して配置された下部ろ過室及び下部処理水水槽を有する下部ろ過器と、上部処理水水槽と高架貯水槽とを連結する上部連結管と、下部処理水水槽と高架貯水槽とを連結する下部連結管とを有している。そして、処理水の貯水時には、上部ろ過器及び下部ろ過器に送水された水がろ過処理された後、高架貯水槽に送水されて貯水され、処理水の供給時には、高架貯水槽に貯水された水が重力により供給され、ろ過材の逆洗時には、高架貯水槽に貯水された水が重力により上部連結管を経由して上部処理水水槽に送水されて上部ろ過材を洗浄した後、上部ろ過室を経由して外に排出されるとともに、高架貯水槽に貯水された水が重力により下部連結管を経由して下部処理水水槽に送水されて下部ろ過材を洗浄した後、下部ろ過室を経由して外に排出されるようになっている。
【００１７】
従って、ろ過処理した水は、上部の高架貯水槽に貯水して必要に応じて重力により供給先である各飼育水槽に供給することができるので、各飼育水槽へろ過処理水を供給するための高架貯水槽を別途設置する必要がない。重力式自動逆洗砂ろ過装置は逆洗用水を貯水するものであるため、元々基礎を頑丈に設計する必要があり、また本発明では高架貯水槽に貯水した水を逆洗用水としても使用するため、高架貯水槽を追加したとしても基礎工事が大幅に増加することはない。特に、既存の重力式自動逆洗砂ろ過装置を代替えする場合には、既存の基礎が有効に活用できる。
【００１８】
また、上部ろ過器と下部ろ過器との２つのろ過器を有しているので、２つのろ過器を並列に接続すれば、ろ過処理を効率化することができる。また、２つのろ過器を直列に接続すれば、ろ過能力を高度化することができる。
【００１９】
また、処理水の貯水時に、上部ろ過室に送水された水が上部ろ過材によりろ過処理された後、上部処理水水槽から上部連結管を経由して高架貯水槽に送水されるとともに、下部ろ過室に送水された水が下部ろ過材によりろ過処理された後、下部処理水水槽から下部連結管を経由して高架貯水槽に送水されるようにした場合には、２つのろ過器を並列に接続してろ過処理することができる。
【００２０】
また、上部処理水水槽と下部ろ過室とを連結する上下連結管を有し、処理水の貯水時に、上部ろ過室に送水された水が上部ろ過材によりろ過処理された後、上部処理水水槽から上下連結管を経由して下部ろ過室に送水され、下部ろ過材によりろ過処理された後、下部処理水水槽から下部連結管を経由して高架貯水槽に送水されるようにした場合には、２つのろ過器を直列に接続してろ過処理することができる。
【００２１】
このように、本発明によれば、各飼育水槽へろ過処理された水を供給するための高架貯水槽を別途設置する必要がなく、ろ過処理の効率化やろ過能力の高度化が可能な、高架貯水槽付重力式自動逆洗二段式砂ろ過装置を提供することができる。
【図面の簡単な説明】
【００２２】
【図１】本発明の実施形態に係る高架貯水槽付重力式自動逆洗二段式砂ろ過装置の説明図である。
【図２】高架貯水槽付重力式自動逆洗二段式砂ろ過装置の使用方法の説明図である。
【図３】高架貯水槽付重力式自動逆洗二段式砂ろ過装置の使用方法の説明図である。
【図４】高架貯水槽付重力式自動逆洗二段式砂ろ過装置の使用方法の説明図である。
【図５】高架貯水槽付重力式自動逆洗二段式砂ろ過装置の使用方法の説明図である。
【図６】高架貯水槽付重力式自動逆洗二段式砂ろ過装置の使用方法の説明図である。
【図７】従来例に係る重力式自動逆洗砂ろ過装置を利用したろ過処理施設を示す平面図である。
【図８】従来例に係る重力式自動逆洗砂ろ過装置の説明図である。
【発明を実施するための形態】
【００２３】
次に、図１乃至図６を参照して、本発明の実施形態に係る高架貯水槽付重力式自動逆洗二段式砂ろ過装置について説明する。まず、図１を参照して本実施形態に係る高架貯水槽付重力式自動逆洗二段式砂ろ過装置１００の構成について説明する。
【００２４】
図１に示すように、高架貯水槽付重力式自動逆洗二段式砂ろ過装置１００は、主として、高架貯水槽３０、上部ろ過器１０及び下部ろ過器２０から構成されている。高架貯水槽３０は上部ろ過器１０の上に配置されており、上部ろ過器１０は下部ろ過器２０の上に配置されており、設置面積は下部ろ過器２０のみの場合と変わらない。
【００２５】
高架貯水槽３０は、ろ過処理した水を貯水するためのものである。また、高架貯水槽３０に貯水された水は、上部ろ過器１０及び下部ろ過器２０の逆洗用水としても使用される。高架貯水槽３０には、飼育水槽へ飼育水を供給するための送水管５０が接続されている。また、必要に応じて水を排水するための排水管６０が接続されている。
【００２６】
上部ろ過器１０は、上部ろ過室１１及び上部処理水水槽１２を有しており、上部ろ過室１１と上部処理水槽１２との間には上部ろ過材１３が配置されている。従って、上部ろ過室１１及び上部処理水槽１２は、上部ろ過材１３を介して上下に配置されている。上部ろ過室１１には、上部原水入口１４が設けられている。また、上部ろ過室１１は排水管６０に接続されており、途中に弁（バルブ）が設けられている。また、上部処理水水槽１２と高架貯水槽３０との間は、上部連結管１５により連結されており、上部連結管１５には弁（バルブ）が設けられている。
【００２７】
下部ろ過器２０は、下部ろ過室２１及び下部処理水水槽２２を有しており、下部ろ過室２１と下部処理水槽２２との間には下部ろ過材２３が配置されている。従って、下部ろ過室２１及び下部処理水槽２２は、下部ろ過材２３を介して上下に配置されている。下部ろ過室２１には、下部原水入口２４が設けられている。また、下部ろ過室２１は排水管６０に接続されており、途中に弁（バルブ）が設けられている。また、下部処理水水槽２２と高架貯水槽３０との間は、下部連結管２５により連結されており、下部連結管２５には弁（バルブ）が設けられている。また、上部処理水水槽１２と下部ろ過室２１との間は、上下連結管４０により連結されており、上下部連結管４０には弁（バルブ）が設けられている。
【００２８】
次に、図２乃至図６を参照して、高架貯水槽付重力式自動逆洗二段式砂ろ過装置１００の使用方法について説明する。図２は、処理水の貯水時に、上部ろ過器１０及び下部ろ過器２０を並列に接続して、別々にろ過処理する場合の水の流れを示すものである。なお、上部連結管１５の弁及び下部連結管２５の弁は開かれている。上下連結管４０の弁、上部ろ過室１１から排水管６０への弁及び下部ろ過室２１から排水管６０への弁は閉じられている。
【００２９】
上部ろ過器１０によりろ過処理される水は、送水管７０を経由して上部原水入口１４から上部ろ過室１１に送水される。上部ろ過室１１に送水された水は、上部ろ過材１３によりろ過処理された後、上部処理水水槽１２から上部連結管１５を経由して高架貯水槽３０に送水されて貯水される。
【００３０】
下部ろ過器２０によりろ過処理される水は、送水管７０を経由して下部原水入口２４から下部ろ過室２１に送水される。下部ろ過室２１に送水された水は、下部ろ過材２３によりろ過処理された後、下部処理水水槽２２から下部連結管２５を経由して高架貯水槽３０に送水されて貯水される。
【００３１】
このように、２つのろ過器を並列に接続すれば、ろ過処理を効率化することができる。
【００３２】
図３は、処理水の貯水時に、上部ろ過器１０及び下部ろ過器２０を直列に接続して、二段階でろ過処理する場合の水の流れを示すものである。なお、上下連結管４０の弁及び下部連結管２５の弁は開かれている。上部連結管１５の弁、上部ろ過室１１から排水管６０への弁及び下部ろ過室２１から排水管６０への弁は閉じられている。
【００３３】
上部ろ過器１０及び下部ろ過器２０によりろ過処理される水は、送水管７０を経由して上部原水入口１４から上部ろ過室１１に送水される。上部ろ過室１１に送水された水は、上部ろ過材１３によりろ過処理された後、上部処理水水槽１２から上下連結管４０を経由して下部ろ過室２１に送水され、下部ろ過材２３によりろ過処理された後、下部処理水水槽２２から下部連結管２５を経由して高架貯水槽３０に送水されて貯水される。
【００３４】
このように、２つのろ過器を直列に接続すれば、ろ過能力を高度化することができる。
【００３５】
処理水の飼育水槽への供給時には、高架貯水槽３０に貯水された水が、重力により送水管５０を経由して供給先である各飼育水槽へと供給される。
【００３６】
図４は、上部ろ過器１０の上部ろ過材１３の逆洗時おける水の流れを示すものである。なお、上部連結管１５の弁及び上部ろ過室１１から排水管６０への弁は開かれている。下部連結管２５の弁、上下連結管４０の弁、及び下部ろ過室２１から排水管６０への弁は閉じられている。
【００３７】
高架貯水槽３０に貯水された水は、重力により上部連結管１５を経由して上部処理水水槽１２に送水されて上部ろ過材１３を洗浄した後、上部ろ過室１１を経由して排水管６０から外に排出される。
【００３８】
図５は、下部ろ過器２０の下部ろ過材２３の逆洗時おける水の流れを示すものである。なお、下部連結管２５の弁及び下部ろ過室２１から排水管６０への弁は開かれている。上部連結管１５の弁、上下連結管４０の弁、及び上部ろ過室１１から排水管６０への弁は閉じられている。
【００３９】
高架貯水槽３０に貯水された水は、重力により下部連結管２５を経由して下部処理水水槽２２に送水されて下部ろ過材２３を洗浄した後、下部ろ過室２１を経由して排水管６０から外に排出される。
【００４０】
図６は、下部ろ過器２０によるろ過処理と、上部ろ過器１０の上部ろ過材１３の逆洗処理を同時に行う場合の水の流れを示すものである。なお、上部連結管１５の弁、下部連結管２５の弁及び上部ろ過室１１から排水管６０への弁は開かれている。上下連結管４０の弁、及び下部ろ過室２１から排水管６０への弁は閉じられている。
【００４１】
下部ろ過器２０によりろ過処理される水は、送水管７０を経由して下部原水入口２４から下部ろ過室２１に送水される。下部ろ過室２１に送水された水は、下部ろ過材２３によりろ過処理された後、下部処理水水槽２２から下部連結管２５を経由して高架貯水槽３０に送水されて貯水される。そして、必要に応じて重力により送水管５０を経由して供給先である各飼育水槽へと供給される。
【００４２】
高架貯水槽３０に貯水された水は、重力により上部連結管１５を経由して上部処理水水槽１２に送水されて上部ろ過材１３を洗浄した後、上部ろ過室１１を経由して排水管６０から外に排出される。
【００４３】
高架貯水槽３０に貯水された水が上部ろ過材１３の逆洗処理に使用されると、高架貯水槽３０の水位が低下するが、図６に示すように、逆洗処理と同時に下部ろ過器２０によるろ過処理を行い高架貯水槽３０に送水して貯水することにより、高架貯水槽３０の水位を維持することができる。なお、上部ろ過器１０と下部ろ過器２０の役割を逆にして、上部ろ過器１０によるろ過処理と、下部ろ過器２０の下部ろ過材２３の逆洗処理を同時に行うようにすることもできる。
【００４４】
上記説明したように、処理水の貯水時、処理水の供給時及びろ過材の逆洗時には、それぞれの水の流れに応じて各送水管や各連結管に設置された弁（バルブ）が適宜開閉される。
【００４５】
高架貯水槽付重力式自動逆洗二段式砂ろ過装置１００を構成する高架貯水槽３０、上部ろ過室１０及び下部ろ過室２０は、例えばＦＲＰにより一体的に形成される。製造にあたっては、内部型枠とし外部ＦＲＰ機械巻方式により製造することが好ましい。
【００４６】
高架貯水槽付重力式自動逆洗二段式砂ろ過装置１００の下には、基礎６が構築されている。基礎６は、高架貯水槽付重力式自動逆洗二段式砂ろ過装置１００の各槽に入る水の量を勘案して構築する。
【００４７】
本実施形態に係る高架貯水槽付重力式自動逆洗二段式砂ろ過装置１００は、ろ過処理された水を貯水する高架貯水槽３０と、上部ろ過材１３を介して配置された上部ろ過室１１及び上部処理水水槽１２を有する上部ろ過器１０と、下部ろ過材２３を介して配置された下部ろ過室２１及び下部処理水水槽２２を有する下部ろ過器２０と、上部処理水水槽１２と高架貯水槽３０とを連結する上部連結管１５と、下部処理水水槽２２と高架貯水槽３０とを連結する下部連結管２５とを有している。そして、処理水の貯水時には、上部ろ過器１０及び下部ろ過器２０に送水された水がろ過処理された後、高架貯水槽３０に送水されて貯水され、処理水の供給時には、高架貯水槽３０に貯水された水が重力により供給され、ろ過材１３，２３の逆洗時には、高架貯水槽３０に貯水された水が重力により上部連結管１５を経由して上部処理水水槽１２に送水されて上部ろ過材１３を洗浄した後、上部ろ過室１１を経由して外に排出されるとともに、高架貯水槽３０に貯水された水が重力により下部連結管２５を経由して下部処理水水槽２２に送水されて下部ろ過材２３を洗浄した後、下部ろ過室２１を経由して外に排出されるようになっている。
【００４８】
従って、ろ過処理した水は、上部の高架貯水槽３０に貯水して必要に応じて重力により供給先である各飼育水槽に供給することができるので、各飼育水槽へろ過処理水を供給するための高架貯水槽を別途設置する必要がない。重力式自動逆洗砂ろ過装置は逆洗用水を貯水するものであるため、元々基礎を頑丈に設計する必要があり、また本実施形態では高架貯水槽３０に貯水した水を逆洗用水としても使用するため、高架貯水槽３０を追加したとしても基礎工事が大幅に増加することはない。特に、既存の重力式自動逆洗砂ろ過装置を代替えする場合には、既存の基礎が有効に活用できる。
【００４９】
また、上部ろ過器１０と下部ろ過器２０との２つのろ過器を有しているので、２つのろ過器１０，２０を並列に接続すれば、ろ過処理を効率化することができる。また、２つのろ過器１０，２０を直列に接続すれば、ろ過能力を高度化することができる。
【００５０】
また、処理水の貯水時に、上部ろ過室１１に送水された水が上部ろ過材１３によりろ過処理された後、上部処理水水槽１２から上部連結管１５を経由して高架貯水槽３０に送水されるとともに、下部ろ過室２１に送水された水が下部ろ過材２３によりろ過処理された後、下部処理水水槽２２から下部連結管２５を経由して高架貯水槽３０に送水されるようにした場合には、２つのろ過器１０，２０を並列に接続してろ過処理することができる。
【００５１】
また、上部処理水水槽１２と下部ろ過室２１とを連結する上下連結管４０を有し、処理水の貯水時に、上部ろ過室１１に送水された水が上部ろ過材１３によりろ過処理された後、上部処理水水槽１２から上下連結管４０を経由して下部ろ過室２１に送水され、下部ろ過材２３によりろ過処理された後、下部処理水水槽２２から下部連結管２５を経由して高架貯水槽３０に送水されるようにした場合には、２つのろ過器１０，２０を直列に接続してろ過処理することができる。
【００５２】
このように、本実施形態に係る高架貯水槽付重力式自動逆洗二段式砂ろ過装置１００によれば、各飼育水槽へろ過処理された水を供給するための高架貯水槽を別途設置する必要がなく、ろ過処理の効率化やろ過能力の高度化が可能である。
【００５３】
以上、本発明の実施形態に係る高架貯水槽付重力式自動逆洗二段式砂ろ過装置について説明したが、本発明は上述した実施の形態に限定されるわけではなく、その他種々の変更が可能である。
【符号の説明】
【００５４】
１  ろ過材
２  逆洗用水水槽
３  ろ過室
４  処理水水槽
５  一次貯水槽
６  基礎
７  高架貯水槽
８  架台
９  基礎
１０  上部ろ過器
１１  上部ろ過室
１２  上部処理水水槽
１３  上部ろ過材
１４  上部原水入口
１５  上部連結管
２０  下部ろ過器
２１  下部ろ過室
２２  下部処理水水槽
２３  下部ろ過材
２４  下部原水入口
２５  下部連結管
３０  高架貯水槽
４０  上下連結管
５０  送水管
６０  排水管
７０  送水管
８０  送水管
９０  送水管
１００  高架貯水槽付重力式自動逆洗二段式砂ろ過装置
２００  重力式自動逆洗砂ろ過装置
Ｐ  ポンプ
【図１】
2017225940.tif 000003
【図２】
2017225940.tif 000004
【図３】
2017225940.tif 000005
【図４】
2017225940.tif 000006
【図５】
2017225940.tif 000007
【図６】
2017225940.tif 000008
【図７】
2017225940.tif 000009
【図８】
2017225940.tif 000010